(57)【要約】【課題】  ポータブルコンピュータとそのスタンド台のロック装置の提供。【解決手段】  スタンド台のサポートアームにロック具が組み付けられ、このロック具の前端に設けられたロックがサポートアームの外部に突出し、ポータブルコンピュータの背面にロック孔が設けられ、ポータブルコンピュータがサポートアームに架設されて使用される時、ロック孔がロック具のロックに対応し、且つロック具が鍵或いはその他の方式の制御を受けてそのロックをポータブルコンピュータのロック孔にロックし、ポータブルコンピュータとそのスタンド台を相互にロックして盗難防止作用を形成する。【選択図】        図２
2005139885.tif 000002
【特許請求の範囲】
【請求項１】
スタンド台とポータブルコンピュータとを具え、該スタンド台はベース、サポートアームを具え、該サポートアームは該ベースの上方に立設され、該サポートアームはその前表面に支持面を具え、該サポートアームの底部に保持溝が設けられ、該ポータブルコンピュータは該サポートアームの保持溝内に架設され、並びにその支持面に支持されるポータブルコンピュータとそのスタンド台のロック装置において、
該サポートアームにロック具が組み付けられ、このロック具の前端に設けられた少なくとも一つのロックがサポートアームの支持面の外に穿出し、且つポータブルコンピュータの背面に該ロック具の少なくとも一つのロックに対応する少なくとも一つのロック孔が開設され、ロック具が制御を受けて該少なくとも一つのロックをポータブルコンピュータの少なくとも一つのロック孔にロックすることを特徴とする、ポータブルコンピュータとそのスタンド台のロック装置。
【請求項２】
請求項１記載のポータブルコンピュータとそのスタンド台のロック装置において、ロック具のアンロックとロックを制御する鍵を具えたことを特徴とする、ポータブルコンピュータとそのスタンド台のロック装置。
【請求項３】
請求項１記載のポータブルコンピュータとそのスタンド台のロック装置において、ロック具が回転ロック装置とされ、該回転ロック装置が回転軸を具え、且つ少なくとも一つのロックが径方向に該回転軸の前端に延設されると共に回転軸と同期して回転することを特徴とする、ポータブルコンピュータとそのスタンド台のロック装置。
【請求項４】
請求項１記載のポータブルコンピュータとそのスタンド台のロック装置において、ポータブルコンピュータがフラットパネルコンピュータとされたことを特徴とする、ポータブルコンピュータとそのスタンド台のロック装置。
【発明の詳細な説明】
【技術分野】
【０００１】
本発明は一種のポータブルコンピュータとそのスタンド台のロック装置に係り、特にポータブルコンピュータとそのスタンド台を相互にロックして盗難防止の目的を達成する装置に関する。
【背景技術】
【０００２】
現在、フラットパネルコンピュータのようなポータブルコンピュータはスタンド台を組み合わせて使用されることが往々にしてあり、スタンド台のサポートアームにより、フラットパネルコンピュータが支持されて立式で使用される。
しかし、伝統的なポータブルコンピュータとそのスタンド台の間には盗難防止構造がなく、ポータブルコンピュータは単純にスタンド台上に置かれるだけのため、いつでもスタンド台よりポータブルコンピュータを盗み去ることができ、ポータブルコンピュータの安全性に関しては良好な保障が提供されていない。
【発明の開示】
【発明が解決しようとする課題】
【０００３】
本発明はポータブルコンピュータとそのスタンド台のロック装置を提供し、ポータブルコンピュータとそのスタンド台を相互にロックして盗難防止作用を達成できるようにすることを主要な目的としている。
【０００４】
本発明のポータブルコンピュータとそのスタンド台のロック装置は、スタンド台とポータブルコンピュータとを具えている。そのうち、スタンド台はベース、サポートアームを具え、且つサポートアームはベースの上方に立設され、サポートアームはその前表面に支持面を具え、別に底部に保持溝が設けられ、ポータブルコンピュータはサポートアームの保持溝内に架設され、並びにその支持面に支持される。
【０００５】
本発明の特色は、サポートアームにロック具が組み付けられ、このロック具の前端に設けられた少なくとも一つのロックがサポートアームの支持面の外に突出し、且つポータブルコンピュータの背面に少なくとも一つのロック孔が開設され、この少なくとも一つのロックがポータブルコンピュータの少なくとも一つのロック孔に対応してロックし、これによりポータブルコンピュータとそのスタンド台が相互にロックされて盗難防止作用を形成することにある。
【０００６】
上述のポータブルコンピュータはフラットパネルコンピュータとされ得て、且つロック具は鍵によりそのアンロックとロックが解除されるか、或いは電磁弁により開閉が制御され、この電磁弁はポータブルコンピュータにより暗号方式で制御されるか、別の外部コンピュータにより制御される。
【課題を解決するための手段】
【０００７】
請求項１の発明は、スタンド台とポータブルコンピュータとを具え、該スタンド台はベース、サポートアームを具え、該サポートアームは該ベースの上方に立設され、該サポートアームはその前表面に支持面を具え、該サポートアームの底部に保持溝が設けられ、該ポータブルコンピュータは該サポートアームの保持溝内に架設され、並びにその支持面に支持されるポータブルコンピュータとそのスタンド台のロック装置において、
該サポートアームにロック具が組み付けられ、このロック具の前端に設けられた少なくとも一つのロックがサポートアームの支持面の外に穿出し、且つポータブルコンピュータの背面に該ロック具の少なくとも一つのロックに対応する少なくとも一つのロック孔が開設され、ロック具が制御を受けて該少なくとも一つのロックをポータブルコンピュータの少なくとも一つのロック孔にロックすることを特徴とする、ポータブルコンピュータとそのスタンド台のロック装置としている。
請求項２の発明は、請求項１記載のポータブルコンピュータとそのスタンド台のロック装置において、ロック具のアンロックとロックを制御する鍵を具えたことを特徴とする、ポータブルコンピュータとそのスタンド台のロック装置としている。
請求項３の発明は、請求項１記載のポータブルコンピュータとそのスタンド台のロック装置において、ロック具が回転ロック装置とされ、該回転ロック装置が回転軸を具え、且つ少なくとも一つのロックが径方向に該回転軸の前端に延設されると共に回転軸と同期して回転することを特徴とする、ポータブルコンピュータとそのスタンド台のロック装置としている。
請求項４の発明は、請求項１記載のポータブルコンピュータとそのスタンド台のロック装置において、ポータブルコンピュータがフラットパネルコンピュータとされたことを特徴とする、ポータブルコンピュータとそのスタンド台のロック装置としている。
【発明の効果】
【０００８】
本発明はポータブルコンピュータとそのスタンド台のロック装置を提供し、ポータブルコンピュータとそのスタンド台を相互にロックして盗難防止作用を達成できるようにしている。
【発明を実施するための最良の形態】
【０００９】
図１は本発明の実施状態を示す。図中に示されるポータブルコンピュータ２は、本実施例ではフラットパネルコンピュータとされ、それはスタンド台１の上に架設されて使用される。
【００１０】
図１、２は本発明の第１実施例の斜視図及び分解斜視図である。図３は図２の拡大図である。上述のスタンド台１はベース１１及びサポートアーム１２を具え、そのうちサポートアーム１２はベース１１の上方に立設され、サポートアーム１２はその前表面に支持面１２１を具え、別にサポートアーム１２の底部に保持溝１２２が設けられ、ポータブルコンピュータ２はスタンド台１のサポートアーム１２の保持溝１２２内に架設され、並びにサポートアーム１２の支持面１２１に支持される。
【００１１】
このほか、サポートアーム１２にロック具３が組み付けられ、本実施例ではこのロック具は回転ロック装置とされ、且つそれは回転軸３１、及びロック３２を具えている。該ロック３２は径方向に回転軸３１の前端に延設されて回転軸３１に伴い同期に回転し、このロック３２はサポートアーム１２の支持面１２１の外に穿出している。また、ポータブルコンピュータ２の背面２１にロック孔２２が開設され、このロック孔２２がロック具３のロック３２に対応する。
【００１２】
該ポータブルコンピュータ２がスタンド台１の上に架設されて使用される時、サポートアーム１２上のロック具３は鍵４の制御を受けることでその回転軸３１が回転し、ロック３２がそれに連動して回転し、ポータブルコンピュータ２のロック孔２２をロックし、これによりスタンド台１とポータブルコンピュータ２の間が相互にロックされて盗難防止作用を形成する。
【００１３】
図４は本発明の第２実施例のロック具の斜視図であり、異なる形式のロック具６を表示するが、その他の構造は上述の第１実施例のものと同じである。本実施例のロック具６はその前端の二側に外向きに突出するフック６１が設けられ、鍵７の制御により、フック６１が外向きに伸出し並びにポータブルコンピュータ２のロック孔２２に対応してそれと係合し（図２）、この設計も同様に盗難防止作用を達成することができる。
【００１４】
以上から分かるように、ロック具の形式に制限はなく、且つ鍵による制御に制限されるものでもなく、すなわち、ロック具は電磁弁によりそのアンロックとロックが制御されるものに変更され得て、且つ電磁弁はポータブルコンピュータにより暗号方式で制御されるか、別の外部コンピュータにより制御されるものとされうる。
【００１５】
以上の実施例は本発明の実施範囲を限定するものではなく、本発明に基づきなしうる細部の修飾或いは改変は、いずれも本発明の請求範囲に属する。
【図面の簡単な説明】
【００１６】
【図１】本発明の第１実施例の斜視図である。
【図２】本発明の第１実施例の分解斜視図である。
【図３】図２の拡大図である。
【図４】本発明の第２実施例のロック具の斜視図である。
【符号の説明】
【００１７】
１  スタンド台                １１  ベース          １２  サポートアーム
１２１  支持面                １２２  保持溝        ２  ポータブルコンピュータ
２１  背面                    ２２  ロック孔        ３  ロック具
３１  回転軸                  ３２  ロック          ４  鍵
６  ロック具                  ６１  フック          ７  鍵
【図１】
2005139885.tif 000003
【図２】
2005139885.tif 000004
【図３】
2005139885.tif 000005
【図４】
2005139885.tif 000006